(57)【要約】【課題】外観品位や操作性等を有効に向上し、装置の小型化を図り得る撮像装置を提供する。【解決手段】撮像装置本体１０６に対してヒンジ部１０４を結合し、その回転軸１０１のまわりに回転して展開・収納動作するようにした画像表示装置１０５を備える。画像表示装置１０５の筐体は、回転軸１０１と平行でその回転方向に沿った面における断面形状が略くさび状である。【選択図】図４
2008028759.tif 000002
【特許請求の範囲】
【請求項１】
撮像装置本体に対してヒンジ部を結合し、その回転軸のまわりに回転して展開・収納動作するようにした画像表示装置を備えた撮像装置であって、
前記画像表示装置の筐体は、前記回転軸と平行でその回転方向に沿った面における断面形状が略くさび状であることを特徴とする撮像装置。
【請求項２】
前記撮像装置本体および前記画像表示装置のいずれか一方に凸条を、他方にこの凸条と係合可能な凹条を設けてなるガイド機構を有し、前記画像表示装置の収納動作の途中で前記凸条および前記凹条が相互に摺動し、前記ガイド機構を介して前記画像表示装置の回転動作を規制するようにしたことを特徴とする請求項１に記載の撮像装置。
【請求項３】
前記ヒンジ部の前記回転軸の方向が、前記撮像装置本体の正位置における底面に対して垂直となるように構成したことを特徴とする請求項１または２に記載の撮像装置。
【請求項４】
収納時の前記画像表示装置と対向する前記撮像装置本体側の部位を前記画像表示装置のくさび形状と略平行な面とすることを特徴とする請求項１〜３のいずれか１項に記載の撮像装置。
【請求項５】
収納時の前記画像表示装置と対向する前記撮像装置本体側の部位に操作スイッチを設けたことを特徴とする請求項４に記載の撮像装置。
【発明の詳細な説明】
【技術分野】
【０００１】
本発明は撮像装置における画像表示装置、特にその形状に関する。
【背景技術】
【０００２】
近年、撮像装置本体の小型薄型化が進み、撮像装置本体を構成する各部位を無駄なスペースを作らずに小型薄型化することが求められている。また、接眼レンズなどを用いずに画像を確認できる画像表示装置を搭載した撮像装置の場合、不使用時には画像表示面が隠れるように画像表示装置を収納できるような構成となっている。この場合の収納方法としては、画像表示装置と撮像装置とをヒンジ部によって回動可能に連結し、回転運動によって収納を行う。
【０００３】
このようなヒンジ部の回転軸の方向は、画像表示面に対して平行または垂直、あるいは特許文献１に記載されたように傾斜角度を持ったものがある。
【０００４】
【特許文献１】特開２００２−１５８７５８号公報（第５頁、図４）
【発明の開示】
【発明が解決しようとする課題】
【０００５】
しかしながら、従来技術において次のような問題があった。まず、ヒンジ部の回転軸を画像表示面に対して垂直に構成した場合、画像表示装置を撮像装置本体に収納する際に、画像表示装置が撮像装置本体と衝突するおそれがある。そして、画像表示装置を収納する撮像装置側の面とそれに対向する画像表示装置側の面が擦れ合うと、そのままでは傷がついて外観品位が劣る。
【０００６】
上記のような衝突と擦れ合いを防止するために画像表示装置と撮像装置本体の間の隙間を大きく取っておくと、画像表示装置を撮像装置の収納したときに、画像表示装置と撮像装置との合わせ目の隙間も大きくなってしまって品位を損ねてしまう。
【０００７】
また、前記特許文献１に記載の方法では、ヒンジ部が装置に対して傾斜して埋め込まれているので、ヒンジ部の周りの必要のない空間を削ぎ落とすことができなくなり、且つ逆に無駄なスペースが発生して小型化の妨げになる。
【０００８】
更に、使用者が撮像装置本体を使用するとき、画像表示装置を展開して表示画面を見ながら行うので、使用者は撮像装置本体に対して画像表示装置が展開された側に位置している。特に、画像表示装置が撮像装置本体の上面側にあって、画像表示装置が収納されていた撮像装置本体側の収納面に操作スイッチ類などがあると、使用者からは斜めから操作スイッチ類を見ることになるので操作性が悪くなる。
【０００９】
本発明はかかる実情に鑑み、外観品位や操作性等を有効に向上し、装置の小型化を図り得る撮像装置を提供することを目的とする。
【課題を解決するための手段】
【００１０】
本発明の撮像装置は、撮像装置本体に対してヒンジ部を結合し、その回転軸のまわりに回転して展開・収納動作するようにした画像表示装置を備えた撮像装置であって、前記画像表示装置の筐体は、前記回転軸と平行でその回転方向に沿った面における断面形状が略くさび状であることを特徴とする。
【００１１】
また、本発明の撮像装置において、前記撮像装置本体および前記画像表示装置のいずれか一方に凸条を、他方にこの凸条と係合可能な凹条を設けてなるガイド機構を有し、前記画像表示装置の収納動作の途中で前記凸条および前記凹条が相互に摺動し、前記ガイド機構を介して前記画像表示装置の回転動作を規制するようにしたことを特徴とする。
【００１２】
また、本発明の撮像装置において、前記ヒンジ部の前記回転軸の方向が、前記撮像装置本体の正位置における底面に対して垂直となるように構成したことを特徴とする。
【００１３】
また、本発明の撮像装置において、収納時の前記画像表示装置と対向する前記撮像装置本体側の部位を前記画像表示装置のくさび形状と略平行な面とすることを特徴とする。
【００１４】
また、本発明の撮像装置において、収納時の前記画像表示装置と対向する前記撮像装置本体側の部位に操作スイッチを設けたことを特徴とする。
【発明の効果】
【００１５】
本発明によれば、画像表示装置の断面をくさび形状とすることで、画像表示装置を収納するときに画像表示装置と撮像装置本体とが衝突することを回避し、外観の傷の発生を防止できるので、外観品位の向上が可能となる。更に、画像表示装置の収納動作途中にそのガイド機構を設けて画像表示装置の収納軌跡を規制する。これにより画像表示装置を撮像装置本体に収納したときに互いに対向する面が直接摺動することがないので、美観を損ねるような外観の摺動傷の発生を防止し、外観品位の向上が可能となる。
【発明を実施するための最良の形態】
【００１６】
以下、図面に基づき、本発明による撮像装置の好適な実施の形態を説明する。
図１から図１１は本発明の実施例を最もよく表した図である。図１〜図３は本発明による撮像装置本体の外観斜視図である。１０６は撮像装置本体、１０７は把手部、１０８は集音用のマイク部であり、把手部１０７の先端に取り付けられている。１０９は撮影レンズ部もしくはレンズユニットである。また、１０４は画像表示装置１０５と撮像装置本体１０６を連結するヒンジ部であり、１０１はヒンジ部１０４の第１の回転軸、１０２はヒンジ部１０４の第２の回転軸である。ヒンジ部１０４の第１の回転軸１０１は、撮像装置本体１０６を正位置に置いたときにその底面と略垂直となるように構成している。
【００１７】
ここで、この種の撮像装置におけるヒンジ部の回転軸の方向性について説明する。図１１は、ヒンジ部の回転軸の方向が撮像装置本体を正位置に置いたときにその底面と略垂直となる場合と、傾斜している場合を示している。
【００１８】
図１１（Ａ）はヒンジ部の回転軸が略垂直となる場合であり、図１１（Ｂ）は回転軸が傾斜している場合を示している。それぞれの部位は１４（２４）がヒンジ部であり、１１（２１）がその回転軸、１５（２５）が画像表示部１２（２２）とバックライト１７（２７）と制御基板１３（２３）を含む画像表示装置であり、１６（２６）が撮像装置本体、１８（２８）が撮像装置本体を正位置に置いた時の底面である。
【００１９】
図１１（Ａ）において、回転軸１１を底面１８に対して略垂直になるようにヒンジ部１４を配置すると、２点鎖線で囲まれた部分のスペース１０は必要のない空間となるのでデザイン的に削ぎ落とすことができる。一方、図１１（Ｂ）のように回転軸２１が底面２８に対して傾斜するようにヒンジ部２４を配置する。この場合には、２点鎖線で囲まれた部分のスペース２０を削ぎ落とすことができなくなるばかりか、角部付近の部分に無駄なスペース３０が発生してしまう。
【００２０】
次に、画像表示装置１０５の回転動作について説明する。図１は画像表示装置１０５を撮像装置本体１０６に収納した状態を示す。画像表示装置１０５の使用時には、画像表示装置１０５はヒンジ部１０４の第１回転軸１０１を中心にして所定の位置まで回動し（図２、矢印Ｆ）、続いてヒンジ部１０４の第２回転軸１０２を中心に撮影者の希望する位置まで回動する（図３）。
【００２１】
図２および図３において、画像表示装置１０５は画像を表示するための表示画面３０２を備えており、撮影者はこの表示画面３０２で撮影画像を確認しながら撮影を行う。ここで、図４には、図２の矢印Ｂの方向から見た図を示す。矢印Ｂはヒンジ部１０４の第１の回転軸１０１と垂直な平面１１２内に存在し、画像表示装置１０５の長手方向と略平行である。このとき画像表示装置１０５の筐体もしくはケーシングを構成する１側面（図４では底面側）である面１００は、回転軸１０１に垂直な平面１１２に対して所定の角度θをもって構成され、図示のようにくさび形状となっている。なお、この面１００側に表示画面３０２が設定される。
【００２２】
上記のような面１００を持つ画像表示装置１０５の収納回転動作について、図５から図１０を用いて説明する。図５は図２の状態から画像表示装置１０５を収納するときの動作を詳しく説明した図であり、図２の矢印Ａの方向から撮像装置本体１０６を見ている。ここで、矢印Ａはヒンジ部１０４の第１の回転軸１０１と平行であり、図５においては簡単のため把手部１０７を省略している。
【００２３】
図５において、１０３は画像表示装置１０５を撮像装置本体１０６に収納したときに画像表示装置１０５と対向する撮像装置本体１０６側の収納面である。ここで図２の状態の画像表示装置１０５（図２のように第１の回転軸１０１のまわりに回転して撮像装置本体１０６から展開した状態）を矢印Ｅ方向に角度ａだけ回転させる。これにより画像表示装置１０５の角部１０５ａが収納面１０３にかかる。この状態の断面Ｃ−Ｃを図７に示す。図７に示されるように角部１０５ａと収納面１０３との間には所定の隙間ｘが形成されている。このとき収納面１０３側のポイント１０３ａとする。この状態から更に画像表示装置１０５を回転させて、図１のような収納状態にする。このときポイント１０３ａと画像表示装置１０５（収納面１０３）との間に存在する隙間ｘは、図７の場合よりも小さくなっていて、部品同士の合わせラインを目立たせない効果がある（図６）。
【００２４】
ここで、撮像装置本体１０６の使用者は、画像表示装置１０５の表示画面３０２を見ながら撮影を行う。この場合、収納面１０３は収納時の画像表示装置１０５の面１００と略平行となるように傾斜を持たせてあり、その面に操作スイッチ類１２０，１２１が配設されている。収納面１０３は面１００の傾斜の角度θ分だけ使用者側を向くことになり、操作スイッチ類１２０，１２１の操作がし易くなる。
【００２５】
図５に戻り、画像表示装置１０５を矢印Ｅの方向に更に角度ｂまで回転させると、画像表示装置１０５の角部１０５ｂが、撮像装置本体１０６に設定された凸部１１１にかかる。図８および図９に凸部１１１と画像表示装置１０５、撮像装置本体１０６の位置関係を示す。このとき画像表示装置１０５を構成する１側面（外周縁部）上に設定され、凸部１１１と摺動する部分に凹部１１０を設けている。
【００２６】
このようにガイドレールを構成する凸部１１１と凹部１１０との位置関係を、図１０（図５、断面Ｄ−Ｄ）に示す。凸部１１１に１０５ｂがかかると同時に凹部１１０との間で摺動状態となり、画像表示装置１０５は凸部１１１と凹部１１０の摺動により、ガイドされながら収納位置へ回転していく。
【００２７】
以上のように画像表示装置１０５の断面をくさび形状とすることで、画像表示装置１０５を収納するときに画像表示装置１０５と撮像装置本体１０６とが衝突することを回避し、外観の傷の発生を防止できるので、外観品位の向上が可能となる。
更に、画像表示装置１０５の収納動作途中にそのガイド機構（凹部１１０、凸部１１１）を設けて画像表示装置１０５の収納軌跡を規制する。これにより画像表示装置１０５を撮像装置本体１０６に収納したときに互いに対向する面１００と、撮像装置本体１０６側の収納面１０３とが直接摺動することがないので、美観を損ねるような外観の摺動傷の発生を防止し、外観品位の向上が可能となる。
【００２８】
また、ヒンジ部１０４の回転軸１０１を撮像装置本体１０６の正位置の底面に対して略垂直になるように構成することでヒンジ部１０４周りに無駄なスペースを作らず、且つ必要の無い空間を削ぎ落とすことができるので撮像装置本体１０６の小型化が可能となる。
更に、収納状態では部品同士の合わせラインを目立たせないようにすることができるので、外観品位の向上が可能となる。また、撮像装置本体１０６側の収納面１０３が使用者側に傾斜しているので、その面に配された操作スイッチ類１２０，１２１の操作がし易くなり、操作性が向上する。
【００２９】
上記実施形態において、撮像装置本体１０６に凸部１１１を、また画像表示装置１０５に凹部１１０を設けた例を説明したが、これらは本実施の形態とは逆の関係で、すなわち画像表示装置１０５側に凸部１１１を設け、撮像装置本体１０６側に凹部１１０を設ける構成であってもよく、上記実施形態の場合と同様な作用効果を得ることができる。
【図面の簡単な説明】
【００３０】
【図１】本発明による実施形態における撮像装置の斜視図である。
【図２】本発明による実施形態における撮像装置の斜視図である。
【図３】本発明による実施形態における撮像装置の斜視図である。
【図４】本発明による実施形態における撮像装置の部分拡大図である。
【図５】本発明による実施形態における撮像装置の上面図である。
【図６】本発明による実施形態における撮像装置の断面図である。
【図７】本発明による実施形態における撮像装置の断面図である。
【図８】本発明による実施形態における撮像装置の部分斜視図である。
【図９】本発明による実施形態における撮像装置の部分斜視図である。
【図１０】本発明による実施形態における撮像装置の部分断面図である。
【図１１】撮像装置本体に対するヒンジ部の回転軸の方向に関して説明するための図である。
【符号の説明】
【００３１】
１００  画像表示装置の面
１０１  第１の回転軸
１０２  第２の回転軸
１０３  画像表示装置を収納する撮像装置本体側の面
１０４  ヒンジ部
１０５  画像表示装置
１０６  撮像装置本体
１０７  把手部
１０８  マイク部
１０９  撮像レンズ部
１１０  画像表示装置の凹部
１１１  撮像装置本体の凸部
３０２  画像表示画面
【図１】
2008028759.tif 000003
【図２】
2008028759.tif 000004
【図３】
2008028759.tif 000005
【図４】
2008028759.tif 000006
【図５】
2008028759.tif 000007
【図６】
2008028759.tif 000008
【図７】
2008028759.tif 000009
【図８】
2008028759.tif 000010
【図９】
2008028759.tif 000011
【図１０】
2008028759.tif 000012
【図１１】
2008028759.tif 000013